(57)【要約】【課題】収納ボックス内に設けられた機器等の破損を抑制することが可能な消火装置を得る。【解決手段】消火装置１００は、回転軸１０と、回転軸１０に設けられた消火用放水ノズル２１と、火災を検出する火災検出部３０と、平常状態では、消火用放水ノズル２１を収納する収納ボックス１と、消火用放水ノズル２１が収納ボックス１に収納された状態では、収納ボックス１に形成された開口部１ａを閉塞する左扉２及び右扉３と、を備え、火災発生時、回転軸１０の回転により消火用放水ノズル２１が旋回し、消火用放水ノズル２１が開口部１ａから露出する消火装置１００において、右扉３は収納ボックス１に回動自在に接続され、消火用放水ノズル２１が開口部１ａから露出する際、右扉３は収納ボックス１の外側に向かって開くものである。【選択図】図３
2011050414.tif 000002
【特許請求の範囲】
【請求項１】
回転軸と、
該回転軸に設けられた消火用放水ノズルと、
平常状態では、前記消火用放水ノズルを収納する収納ボックスと、
前記消火用放水ノズルが前記収納ボックスに収納された状態では、前記収納ボックスに形成された開口部を閉塞する少なくとも１つの扉と、
を備え、
火災発生時、前記回転軸の回転により前記消火用放水ノズルが旋回し、前記消火用放水ノズルが前記開口部から露出する消火装置において、
前記扉のうちの少なくとも１つは、前記収納ボックスに回動自在に接続され、
前記消火用放水ノズルが前記開口部から露出する際、
前記収納ボックスに接続された前記扉は、前記収納ボックスの外側に向かって開くことを特徴とする消火装置。
【請求項２】
前記開口部は複数の前記扉により閉塞され、
これら前記扉のうちの少なくとも１つは前記収納ボックスに回動自在に接続され、
これら前記扉のうちの少なくとも他の１つは前記回転軸に取り付けられ、
前記消火用放水ノズルが前記開口部から露出する際、
前記収納ボックスに接続された前記扉は、前記収納ボックスの外側に向かって開き、
前記回転軸に取り付けられた前記扉は、前記消火用放水ノズルとともに旋回することを特徴とする請求項１に記載の消火装置。
【請求項３】
前記回転軸にはカム機構が設けられ、
前記消火用放水ノズルが前記開口部から露出する際、
前記収納ボックスに接続された前記扉は、前記回転軸とともに回転する前記カム機構と連動して開くことを特徴とする請求項１又は請求項２に記載の消火装置。
【請求項４】
前記火災検出部は、
熱源の方向を検出する熱源探査装置と、
炎特有の物理現象を捉えて火災判断を行う炎検知装置と、
を備え、
前記熱源探査装置及び前記炎検知装置は、
前記回転軸に設けられ、
平常状態においては、前記消火用放水ノズルとともに前記収納ボックスに収納され、
火災信号を受信した際、
前記熱源探査装置は、前記回転軸の回転により旋回して、熱源の方向を検出し、
前記炎検知装置は、前記回転軸の回転により旋回して熱源の方向に指向し、火災判断を行うことを特徴とする請求項１〜請求項３のいずれか一項に記載の消火装置。
【発明の詳細な説明】
【技術分野】
【０００１】
本発明は、消火用放水ノズルを収納ボックス内に収納した消火装置に関する。
【背景技術】
【０００２】
防護区画の壁面等に露出設置又は壁面埋込設置される従来の消火装置として、平常時は消火用放水ノズルが収納ボックスに収納される消火装置が知られている。このような消火装置は、平常時には収納ボックスの開口部が扉によって閉塞され、防護区画内の美観を損なわないようにしている。そして、火災が発生すると、消火用放水ノズルが旋回し、収納ボックスの開口部より露出した放水ノズルから放水して、火災を消火する。
【０００３】
このような従来の消火装置として、例えば「消火ボックスが、回転扉を有し、前記回転扉は、前記放水ヘッドが固定されている回転支持軸に固定されており、前記炎感知器と前記赤外線リニアセンサが、前記可動式放水ヘッドに固定され、かつ、該放水ヘッドの側方に配設されるとともに、該回転扉の旋回軌跡円の内側の散水飛散域外に配設され、かつ、その指向方向が該放水ヘッドの軸心の方向と異なり、火源探査のとき、前記放水ヘッドを高速で旋回させながら前記赤外線センサで火源を探査し、火源方向が特定すると、前記炎感知器を火源方向に指向させ、前記赤外線センサの探査時の旋回速度より遅い速度で火源方向の近傍を旋回しながら火源をとらえて旋回を停止し、その後前記放水ヘッドを更に旋回させ、前記炎感知器の停止位置で火源に向って放水する」（特許文献１参照）というものが提案されている。
【先行技術文献】
【特許文献】
【０００４】
【特許文献１】特許第４００６７２２号公報（段落０００６、図１）
【発明の概要】
【発明が解決しようとする課題】
【０００５】
従来の消火装置（例えば特許文献１）は、収納ボックスの開口部を閉塞する扉が回転軸（回転支持軸）に取り付けられている（以下、回転軸に取り付けられた扉を回転扉とも言う）。つまり、回転扉は、回転軸の回転によって、収納ボックス内部においても旋回移動することになる。このため、回転扉が外力等によって変形すると、回転扉が回転した際、収納ボックス内部に設けられた機器等を破損する可能性があるという問題点があった。
【０００６】
また、従来の消火装置は、消火装置（収納ボックス）の幅に近い大きさの回転扉を高速で旋回させる場合、回転扉に作用する大きな空気抵抗を上回る駆動力を要する。このため、消費電力が増加してしまうという課題もあった。
【０００７】
本発明は上述のような課題の少なくとも１つを解決するためになされたものであり、収納ボックス内に設けられた機器等の破損を抑制することが可能な消火装置を得ることを目的とする。
【課題を解決するための手段】
【０００８】
本発明に係る消火装置は、回転軸と、回転軸に設けられた消火用放水ノズルと、平常状態では、消火用放水ノズルを収納する収納ボックスと、消火用放水ノズルが収納ボックスに収納された状態では、収納ボックスに形成された開口部を閉塞する少なくとも１つの扉とを備え、火災発生時、回転軸の回転により消火用放水ノズルが旋回し、消火用放水ノズルが開口部から露出する消火装置において、扉のうちの少なくとも１つは、収納ボックスに回動自在に接続され、消火用放水ノズルが開口部から露出する際、収納ボックスに接続された前記扉は、収納ボックスの外側に向かって開くものである。
【発明の効果】
【０００９】
本発明においては、収納ボックスの開口部を閉塞する扉のうちの少なくとも１つは、収納ボックスに回動自在に接続されている。そして、回転軸が回転して消火用放水ノズルが開口部から露出する際、収納ボックスに接続された扉は収納ボックスの外側に向かって開く。このため、収納ボックス内における扉の旋回範囲が、従来の消火装置よりも減少する。したがって、扉が外力等によって変形した場合でも、収納ボックス内に設けられた機器等の破損を抑制することができる。
【図面の簡単な説明】
【００１０】
【図１】本発明の実施の形態１に係る消火装置の正面側を示す外観斜視図である。
【図２】本発明の実施の形態１に係る消火装置を示す平面図（断面図）である。
【図３】本発明の実施の形態１に係る消火装置の正面側を示す外観斜視図である。
【図４】本発明の実施の形態１に係る消火装置を示す平面図（断面図）である。
【図５】本発明の実施の形態１に係るカム機構の動作説明図である。
【図６】本発明の実施の形態１に係る消火装置における各ユニットの動作推移を示す説明図である。
【図７】図６に続く、消火装置における各ユニットの動作推移を示す説明図である。
【図８】図７に続く、消火装置における各ユニットの動作推移を示す説明図である。
【図９】図８に続く、消火装置における各ユニットの動作推移を示す説明図である。
【図１０】図９に続く、消火装置における各ユニットの動作推移を示す説明図である。
【図１１】図１０に続く、消火装置における各ユニットの動作推移を示す説明図である。
【図１２】図１１に続く、消火装置における各ユニットの動作推移を示す説明図である。
【図１３】図１２に続く、消火装置における各ユニットの動作推移を示す説明図である。
【図１４】図１３に続く、消火装置における各ユニットの動作推移を示す説明図である。
【図１５】本発明の実施の形態１に係る消火装置の別の一例を示す正面側外観斜視図である。
【図１６】本発明の実施の形態１に係る消火装置の別の一例を示す平面断面図である。
【図１７】本発明の実施の形態２に係る消火装置の正面側を示す外観斜視図である。
【図１８】本発明の実施の形態２に係る消火装置を示す平面図（断面図）である。
【図１９】本発明の実施の形態２に係る消火装置の別の一例を示す正面側外観斜視図である。
【図２０】本発明の実施の形態２に係る消火装置の別の一例を示す平面断面図である。
【図２１】本発明の実施の形態３に係る消火装置を示す平面図（断面図）である。
【発明を実施するための形態】
【００１１】
実施の形態１．
図１は本発明の実施の形態１に係る消火装置の正面側を示す外観斜視図であり、図２はこの消火装置を示す平面図（断面図）である。図１及び図２に示す消火装置１００は、収納ボックス１の正面（前面）に形成された開口部１ａが左扉２及び右扉３によって閉塞された状態を示している。また、図２は、カム１１の上方で切断した断面図となっている。
図３も本発明の実施の形態１に係る消火装置の正面側を示す外観斜視図であり、図４もこの消火装置を示す平面図（断面図）である。図３及び図４に示す消火装置１００は、収納ボックス１の正面（前面）に形成された開口部１ａが開いた状態を示している。また、図３は、内部構造の説明を容易とするため、火災検出部３０が正面に配置された状態の消火装置１００を示している。図４は、カム１１の下方で切断した断面図となっている。
以下、これら図１〜図４を用い、本実施の形態１に係る消火装置１００について説明する。
【００１２】
消火装置１００の収納ボックス１は、正面視において略四角形状をしており、平面視において正面側が突出した略五角形状をしている。この収納ボックス１の内部は、上部空間と下部空間に分割されている。そして、収納ボックス１の正面には、下部空間と連通する開口部１ａと、上部空間と連通する開口部１ｂとが形成されている。火災信号を受信していない状態（平常状態）においては、開口部１ａは、左扉２及び右扉３によって閉塞されている。このとき、左扉２及び右扉３は、これらの正面壁と収納ボックス１の正面壁とが略画一となるように配置されている。右扉３は、上部に設けられた蝶番３ａによって、収納ボックス１に回転自在に接続されている。左扉２は、後述する回転軸１０に取り付けられている。つまり、右扉３は、蝶番３ａを回転中心として収納ボックス１の外側へ開く扉となっている。左扉２は、回転軸１０とともに回転する回転扉となっている。
また、収納ボックス１の開口部１ｂは、固定扉４で閉塞されている。
【００１３】
なお、本実施の形態１における「閉塞」とは、実質的に閉塞していることを意味する。つまり、左扉２及び右扉３と収納ボックス１との間には、若干の隙間が形成されていてもよい。また、収納ボックス１の形状はあくまでも一例であり、例えば略直方体形状であってもよい。
【００１４】
収納ボックス１（より詳しくは収納ボックス１の下部空間）には、消火用放水ノズル２１及び火災検出部３０等が収納されている。
消火用放水ノズル２１は、給水フランジ２２に接続され、平面視において左扉２の内壁に沿うように配置されている。この消火用放水ノズル２１は、収納ボックス１の下方から上部空間へ連通する回転軸１０に設けられている。消火用放水ノズル２１は、例えば放水距離の異なる複数のノズルによって構成されている。
【００１５】
本実施の形態１に係る火災検出部３０は、熱源探査装置３１及び炎検知装置３２を備えている。熱源探査装置３１は、例えば赤外線リニアセンサー等を備えており、火源の方向を特定するために用いられる。炎検知装置３２は、炎が発するＣＯ2 共鳴放射と揺らぎを検出することにより炎判断を行う。これら熱源探査装置３１及び炎検知装置３２も、消火用放水ノズル２１と同様に、回転軸１０に設けられている。
【００１６】
本実施の形態１においては、消火用放水ノズル２１、熱源探査装置３１及び炎検知装置３２のそれぞれは、互いに異なる方向を向くように、回転軸１０に設けられている。これにより、消火用放水ノズル２１、熱源探査装置３１及び炎検知装置３２の収納スペースを小さくすることができ、消火装置１００をコンパクトに製作することができる。
【００１７】
回転軸１０には、正面視において右扉３の蝶番３ａと同じ高さとなる位置に、板カムであるカム１１が設けられている。また、カム１１は、回転軸１０が回転した際、蝶番３ａに当接するように設けられている。つまり、蝶番３ａとカム１１が、本発明のカム機構に相当する。カム１１の側面形状は、例えば半径の異なる２つの円弧形状を有しており、これら半径の異なる円弧形状の間は、カム曲線で連結されている。右扉３が開口部１ａを閉塞する状態においては、カム１１の小さい側の半径となっている側面部と蝶番３ａとが当接している。
なお、本実施の形態では蝶番３ａをカム受部として用いているが、カム受部として、蝶番３ａ以外の部材を別途設けてももちろんよい。また、右扉３が開口部１ａを閉塞する状態においては、カム１１の側面部が蝶番３ａと当接していなくともよい。
【００１８】
回転軸１０には、カム１１の例えば上方となる位置に、歯車１２が設けられている。この歯車１２は、モーター１４の駆動軸に設けられた歯車１５と噛み合わされている。つまり、モーター１４の駆動力が歯車１５及び歯車１２を介して回転軸１０に伝達され、回転軸１０が回転する。また、回転軸１０には、回転軸１０の回転角度を計測するエンコーダー１３が設けられている。
歯車１２、歯車１５、モーター１４及びエンコーダー１３は、収納ボックス１の上部空間に配置されている。また、収納ボックス１の上部空間には、モーター１４等を制御する制御ユニット５０も収納されている。
【００１９】
＜動作説明＞
続いて、このように構成された消火装置１００の動作について説明する。まず、右扉３の開閉動作について説明する。次に、消火装置１００の消火動作について説明する。
【００２０】
（扉の開閉動作）
図５は、本発明の実施の形態１に係るカム機構の動作説明図である。この図は、右扉３を側面から見た図である。上述のように、カム１１の側面形状は、例えば半径の異なる２つの円弧形状を有しており、これら半径の異なる円弧形状の間は、カム曲線で連結されている（図２）。このため、消火用放水ノズル２１が開口部１ａから露出する方向（図２における左回り方向）に回転軸１０を回転させると、カム１１のカム曲線となっている側面部と右扉３の蝶番３ａとが当接する。これにより、回転軸１０の回転に伴って、右扉３は、蝶番３ａを回転中心として上方向に押し上げられる（収納ボックス１の外側に開いていく）。回転軸１０がさらに回転すると、カム１１の大きい側の半径となっている側面部と蝶番３ａとが当接する。これにより、右扉３の上昇が停止する。
なお、右扉３は、例えばコイルばね等（図示せず）により、右扉３を閉じる方向に付勢されている。これにより、右扉３がより確実にカム１１に追従して動作するようになり、右扉３が閉じなくなることを防止できる。
【００２１】
つまり、右扉３の開閉状態と、左扉２、消火用放水ノズル２１、熱源探査装置３１及び炎検知装置３２との位置関係は、図６〜図１４に示すようになる。
【００２２】
図６〜図１４は、本発明の実施の形態１に係る消火装置における各ユニットの動作推移を示す説明図である。なお、図６〜図１４は、消火装置１００を平面視した図である。
制御ユニット５０が火災信号を受信していない状態（平常状態）においては、消火装置１００の各ユニットは図６に示す状態となっている。つまり、開口部１ａは左扉２及び右扉３によって閉塞され、消火用放水ノズル２１、熱源探査装置３１及び炎検知装置３２は収納ボックス１内に収納されている。
【００２３】
火災信号を受信すると、制御ユニット５０は、モーター１４を駆動させ、消火用放水ノズル２１が開口部１ａから露出する方向（図６における左回り方向）に回転軸１０を回転させる。そして、図６に示す状態から図７に示す状態となる過程で、カム１１のカム曲線となっている側面部と右扉３の蝶番３ａとが当接し、右扉３が開き始める。図７は、回転軸１０とともに回転する左扉２の右端が、右扉３の下方にもぐり込む状態となっている。このとき、右扉３は、左扉２と干渉しないところまで開いている。
なお、図７に示す消火用放水ノズル２１の位置は、消火用放水ノズル２１の原点位置であり、ここを起点として旋回動作を行う。また、熱源探査装置３１が原点位置に配置された状態は、後述する図１１の状態である。
【００２４】
さらに回転軸１０が回転すると、回転軸１０に伴って、右扉３がさらに開いていく。また、左扉２がさらに右扉３の下方にもぐり込んでいく（図８に示す状態）。
そして、さらに回転軸１０が回転すると、カム１１の大きい側の半径となっている側面部と蝶番３ａとが当接する状態となり、右扉３は停止する（図９に示す状態）。
【００２５】
消火装置１００は、火災を検知するため、熱源探査装置３１が開口部１ａの右端近傍にくるまで回転軸１０を回転させる必要がある。このため、熱源探査装置３１が開口部１ａの右端近傍にくるまで（図９に示す状態から図１４に示す状態となるまで）、右扉３と、左扉２、消火用放水ノズル２１、熱源探査装置３１及び炎検知装置３２とが干渉しないよう、右扉３は図９に示す開いた状態を継続する。つまり、消火用放水ノズル２１が右扉３の下方にもぐり込む状態（図１０乃至図１２に示す状態）、炎検知装置３２が右扉３の下方にもぐり込む状態（図１２乃至図１３に示す状態）、及び熱源探査装置３１が右扉３の下方にもぐり込む状態（図１２乃至図１４に示す状態）において、右扉３は開いた状態を継続する。
【００２６】
このように右扉３を開閉することにより、従来の消火装置と比べ、収納ボックス１内における扉の旋回範囲が減少する。より詳しくは、従来の消火装置は、右扉３に相当する扉部分も回転軸とともに回転していた。本実施の形態１に係る消火装置１００は、右扉３が回転軸１０とともに回転しないので、収納ボックス１内における右扉３分の旋回範囲が減少する。
また、このように右扉３を開閉することにより、回転軸１０を回転させる際、従来の消火装置と比べて右扉３分の空気抵抗が低減する。
【００２７】
（消火動作）
次に、消火装置１００の消火動作について説明する。
火災信号を受信すると、制御ユニット５０は、回転軸１０を高速で回転させ、熱源探査装置３１で熱源を探査する。そして、制御ユニット５０は、熱源の方向を特定すると、回転軸１０の回転を停止し、エンコーダー１３の計測結果に基づいて熱源の方向を記憶する。
その後、制御ユニット５０は、炎検知装置３２が前記熱源方向を指向するように、回転軸１０を回転させる。炎検知装置３２が前記熱源方向を指向する位置に来ると、制御ユニット５０は、回転軸１０の回転を停止する。そして、制御ユニット５０は、炎検知装置３２により、熱源が炎であるか否かを判定する。
熱源が炎であると判定した場合、制御ユニット５０は、消火用放水ノズル２１が熱源方向を指向するように、回転軸１０を回転させる。そして、制御ユニット５０は、消火用放水ノズル２１から放水し、消火する。
【００２８】
このとき、右扉３と、左扉２、消火用放水ノズル２１、熱源探査装置３１及び炎検知装置３２との位置関係は、図６に示す状態から図１４に示す状態へ動作する過程のいずれかの位置関係となっている。
【００２９】
以上、このように構成された消火装置１００においては、右扉３を収納ボックス１に回動自在に接続している。そして、回転軸１０が回転した際、右扉３は収納ボックス１の外側に向かって開く。このため、収納ボックス１内における扉の旋回範囲が、従来の消火装置よりも減少する。したがって、左扉２及び右扉３が外力等によって変形した場合でも、収納ボックス１内に設けられた機器等の破損を抑制することができる。
また、このように構成された消火装置１００においては、従来の消火装置１００よりも、回転軸１０を回転させる際の負荷（回転扉にかかる空気抵抗）が減少する。このため、モーター１４の消費電力を削減することができる。
【００３０】
また、右扉３はカム機構（カム１１及び蝶番３ａ）によって開閉するので、回転軸１０の回転と連動させて右扉３を開閉することができる。このため、従来の消火装置と同じ制御方法で消火装置１００を動作させることができる。
【００３１】
なお、本実施の形態１に係る消火装置１００は左扉２を回転扉としたが、左扉２も右扉３と同様の外開き構造としてもよい。
図１５は、本発明の実施の形態１に係る消火装置の別の一例を示す正面側外観斜視図である。また、図１６は、この消火装置を示す平面断面図である。
図１５及び図１６に示すように、左扉２は、右扉３と同様に、蝶番（図視せず）によって、収納ボックス１（より詳しくは開口部１ａの上方となる位置）に回転自在に接続されている。この左扉２も、例えばカム１１と左扉２の蝶番とが当接しており、回転軸１０と連動して外側に開く構造となっている。
【００３２】
左扉２及び右扉３の双方を外開き構造とした場合、収納ボックス１内には扉の旋回範囲が存在しなくなる。このため、左扉２及び右扉３が外力等によって変形した場合でも、収納ボックス１内に設けられた機器等の破損をより抑制することができる。また、回転軸１０を回転させた際の負荷がより減少するので、モーター１４の消費電力をより削減することができる。
一方、右扉３のみを外開き構造とした場合、左扉２及び右扉３の双方を外開き構造とした場合と比べ、消火装置１００の製造が容易となる。左扉２及び右扉３の双方をカム構造で動作させようとした場合、左扉２と右扉３を同期させることが難しいからである。
【００３３】
また、本実施の形態１では収納ボックス１の開口部１ａを２つの扉（左扉２及び右扉３）で閉塞しているが、開口部１ａを閉塞する扉の数は任意である。また、例えば３つ以上の扉で収納ボックス１の開口部１ａを閉塞する場合、これら扉のうちの少なくとも１つを外開き構造とすることにより、本発明の効果を得ることができる。
【００３４】
また、本実施の形態１では火災検出部３０として熱源探査装置３１及び炎検知装置３２を備えたが、これは火災検出部３０の一例である。例えば、熱源探査装置３１又は炎検知装置３２の一方で火災検出部３０を構成してももちろんよい。また、火災検出部３０は、回転軸１０以外の別の回転軸に設けてもよい。
【００３５】
また、本実施の形態１ではカム構造により外開き構造の扉（例えば右扉３）を開いたが、外開き構造の扉を開く構成はカム構造以外でもよい。例えば、コイルばね等によって開く方向に外開き構造の扉を付勢し、ソレノイド等によって駆動されるストッパーで外開き構造の扉を閉じておいてもよい。ストッパーを駆動させることにより、コイルばねの付勢力によって外開き構造の扉を開くことができる。このとき、ストッパーを駆動させるタイミングは、回転軸１０が回転する前でもよいし、回転軸１０の回転開始と同時でもよいし、回転軸１０が回転した後でもよい。外開き構造の扉と回転軸１０に設けられたユニット（例えば、消火用放水ノズル２１及び火災検出部３０）とが干渉しなければ、ストッパーの駆動タイミングは任意である。
【００３６】
実施の形態２．
実施の形態１では、外開き構造の扉を上下方向に開閉した。これに限らず、外開き構造の扉を左右方向に開閉する構成としてもよい。なお、本実施の形態２において、特に記述しない項目については実施の形態１と同様とし、同一の機能や構成については同一の符号を用いて述べることとする。
【００３７】
図１７は本発明の実施の形態２に係る消火装置の正面側を示す外観斜視図であり、図１８はこの消火装置を示す平面図（断面図）である。図１７及び図１８に示す消火装置１００は、収納ボックス１の正面（前面）に形成された開口部１ａが開いた状態を示している。また、図１７は、火災検出部３０が正面に配置された状態の消火装置１００を示している。
【００３８】
本実施の形態２に係る消火装置１００は、実施の形態１と同様に、開口部１ａが左扉２及び右扉３によって閉塞される構成となっている。しかしながら、右扉３と収納ボックス１との接続位置が、実施の形態１とは異なっている。より詳しくは、右扉３は、その右端部が収納ボックス１に回転自在に接続されている。つまり、右扉３は、左右方向に開閉する外開き構造の扉となっている。なお、左扉２は、実施の形態１と同様に、回転軸１０に取り付けられた回転扉となっている。
【００３９】
このように構成された消火装置１００においても、収納ボックス１内における扉の旋回範囲が、従来の消火装置よりも減少する。したがって、左扉２及び右扉３が外力等によって変形した場合でも、収納ボックス１内に設けられた機器等の破損を抑制することができる。また、従来の消火装置１００よりも回転軸１０を回転させる際の負荷（回転扉にかかる空気抵抗）が減少するので、モーター１４の消費電力を削減することができる。
【００４０】
なお、本実施の形態２に係る消火装置１００も、実施の形態１と同様に、左扉２及び右扉３の双方が外開き構造となるように構成してもよい。
図１９は、本発明の実施の形態２に係る消火装置の別の一例を示す正面側外観斜視図である。また、図２０は、この消火装置を示す平面断面図である。
図１９及び図２０に示すように、左扉２は、右扉３と同様に、収納ボックス１（より詳しくは開口部１ａの左端部となる位置）に回転自在に接続されている。
【００４１】
このように左扉２及び右扉３の双方を外開き構造とすることにより、収納ボックス１内には扉の旋回範囲が存在しなくなる。このため、左扉２及び右扉３が外力等によって変形した場合でも、収納ボックス１内に設けられた機器等の破損をより抑制することができる。また、回転軸１０を回転させた際の負荷がより減少するので、モーター１４の消費電力をより削減することができる。
【００４２】
実施の形態３．
実施の形態１や実施の形態２で示したような構成の消火装置の中には、熱源探査装置３１が正常に動作するか否かを確認するための模擬火源が、熱源探査装置３１とは別体で設けられている場合がある。このような消火装置に本発明を実施することにより、さらなる効果を得ることも可能である。なお、本実施の形態３において、特に記述しない項目については実施の形態１又は実施の形態２と同様とし、同一の機能や構成については同一の符号を用いて述べることとする。
【００４３】
図２１は、本発明の実施の形態３に係る消火装置を示す平面図（断面図）である。この図２１は、平常状態における消火装置１００を示している。
図２１に示すように、熱源探査装置３１の前方には、熱源探査装置３１の指向方向に模擬火源３１ａが設けられている。模擬火源３１ａは、熱源探査装置３１が正常に動作するか否かを確認するためのものであり、例えば電熱線やハロゲンランプ等である。
【００４４】
従来の消火装置は開口部１ａを閉塞する扉が回転扉となっているため、熱源探査装置３１の動作確認を行おうとして扉を開けると、熱源探査装置３１も回転軸１０とともに回転してしまう。このため、熱源探査装置３１の指向方向と模擬火源３１ａの位置とがずれてしまい、熱源探査装置３１の動作確認が容易ではなかった。
【００４５】
一方、本実施の形態３に係る消火装置１００は、右扉３が外開き構造となっているので、熱源探査装置３１の動作確認を行うために右扉３を開けても、熱源探査装置３１の位置が変化しない。このため、熱源探査装置３１の動作確認が容易となる。
【符号の説明】
【００４６】
１  収納ボックス、１ａ  開口部、１ｂ  開口部、２  左扉、３  右扉、３ａ  蝶番、４  上部扉、１０  回転軸、１１  カム、１２  歯車、１３  エンコーダー、１４  モーター、１５  歯車、２１  消火用放水ノズル、２２  給水フランジ、３０  火災検出部、３１  熱源探査装置、３１ａ  模擬火源、３２  炎検知装置、５０  制御ユニット、１００  消火装置。
【図１】
2011050414.tif 000003
【図２】
2011050414.tif 000004
【図３】
2011050414.tif 000005
【図４】
2011050414.tif 000006
【図５】
2011050414.tif 000007
【図６】
2011050414.tif 000008
【図７】
2011050414.tif 000009
【図８】
2011050414.tif 000010
【図９】
2011050414.tif 000011
【図１０】
2011050414.tif 000012
【図１１】
2011050414.tif 000013
【図１２】
2011050414.tif 000014
【図１３】
2011050414.tif 000015
【図１４】
2011050414.tif 000016
【図１５】
2011050414.tif 000017
【図１６】
2011050414.tif 000018
【図１７】
2011050414.tif 000019
【図１８】
2011050414.tif 000020
【図１９】
2011050414.tif 000021
【図２０】
2011050414.tif 000022
【図２１】
2011050414.tif 000023